(57)【要約】【課題】本発明は、情報の内容を直感的に把握できるディスプレイ装置を提供することを目的とする。【解決手段】本発明に係るディスプレイ装置１は、表示手段と、縦軸スライダ２１と、縦軸スライダ用モータ２２と、横軸スライダ３１と、横軸スライダ用モータ３２と、縦軸スライダ用モータ２２と横軸スライダ用モータ３２とに接続された制御手段と、を備えるディスプレイ装置であって、制御手段は、座標取得手段と、座標変換手段と、駆動制御手段と座標生成手段と表示制御手段と、を備える。【選択図】図１
2009086707.tif 000002
【特許請求の範囲】
【請求項１】
表示情報を表示画面に表示する表示手段と、前記表示画面の縦軸と略平行に配置された縦軸スライダと、前記縦軸スライダを駆動すると共に前記縦軸スライダがスライドされたことによる回転量を出力する縦軸スライダ用モータと、前記表示画面の横軸と略平行に配置された横軸スライダと、前記横軸スライダを駆動すると共に前記横軸スライダがスライドされたことによる回転量を出力する横軸スライダ用モータと、前記縦軸スライダ用モータと前記横軸スライダ用モータとに接続された制御手段と、を備えるディスプレイ装置であって、
前記制御手段は、
表示面積が前記表示画面より広い前記表示情報のうち、前記表示画面に表示される表示領域の任意位置に基準点を設定すると共に、前記表示領域が移動する前の前記基準点の座標と前記表示領域が移動した後の前記基準点の座標とを取得する座標取得手段と、
前記表示領域が移動する前の前記基準点の座標と前記表示領域が移動した後の前記基準点の座標との差から前記表示領域の縦軸方向の移動量と前記表示領域の横軸方向の移動量とを算出すると共に、前記表示領域の縦軸方向の移動量と前記表示情報の縦軸方向の長さとの比に応じた前記縦軸スライダの駆動量、及び、前記表示領域の横軸方向の移動量と前記表示情報の横軸方向の長さとの比に応じた前記横軸スライダの駆動量を算出する座標変換手段と、
前記縦軸スライダの駆動量に応じた前記縦軸スライダ用モータの前記回転量を算出して前記縦軸スライダ用モータを駆動制御すると共に、前記横軸スライダの駆動量に応じた前記横軸スライダ用モータの前記回転量を算出して前記横軸スライダ用モータを駆動制御し、前記縦軸スライダ用モータが出力する回転量に応じた前記縦軸スライダのスライド量、及び、前記横軸スライダ用モータが出力する回転量に応じた前記横軸スライダのスライド量を算出する駆動制御手段と、
前記縦軸スライダのスライド量と前記縦軸スライダの最大スライド長さとの比に応じた前記基準点の縦軸方向の移動量、及び、前記横軸スライダのスライド量と前記横軸スライダの最大スライド長さとの比に応じた前記基準点の横軸方向の移動量を算出すると共に、当該基準点の横軸方向の移動量と当該基準点の横軸方向の移動量とから前記基準点の座標を生成する座標生成手段と、
前記座標生成手段が生成した前記基準点の座標から移動後の前記表示領域の位置を算出すると共に、当該移動後の表示領域を前記表示画面に表示させる表示制御手段と、を備えることを特徴とするディスプレイ装置。
【請求項２】
カーソルの座標を含む表示情報が情報機器から入力され、前記表示情報を表示画面に表示する表示手段と、前記表示画面の縦軸と略平行に配置された縦軸スライダと、前記縦軸スライダを駆動すると共に前記縦軸スライダがスライドされたことによる回転量を出力する縦軸スライダ用モータと、前記表示画面の横軸と略平行に配置された横軸スライダと、前記横軸スライダを駆動すると共に前記横軸スライダがスライドされたことによる回転量を出力する横軸スライダ用モータと、前記縦軸スライダ用モータと前記横軸スライダ用モータとに接続された制御手段と、を備えるディスプレイ装置であって、
前記制御手段は、
前記カーソルが移動する前の座標と前記カーソルが移動した後の座標とを前記情報機器から取得する座標取得手段と、
前記カーソルが移動する前の座標と前記カーソルが移動した後の座標との差から前記カーソルの縦軸方向の移動量と前記カーソルの横軸方向の移動量とを算出すると共に、前記カーソルの縦軸方向の移動量と前記表示情報の縦軸方向の長さとの比に応じた前記縦軸スライダの駆動量、及び、前記カーソルの横軸方向の移動量と前記表示情報の横軸方向の長さとの比に応じた前記横軸スライダの駆動量を算出する座標変換手段と、
前記縦軸スライダの駆動量に応じた前記縦軸スライダ用モータの回転量を算出して前記縦軸スライダ用モータを駆動制御すると共に、前記横軸スライダの駆動量に応じた前記横軸スライダ用モータの回転量を算出して前記横軸スライダ用モータを駆動制御し、前記縦軸スライダ用モータが出力する回転量に応じた前記縦軸スライダのスライド量、及び、前記横軸スライダ用モータが出力する回転量に応じた前記横軸スライダのスライド量を算出する駆動制御手段と、
前記縦軸スライダのスライド量と前記縦軸スライダの最大スライド長さとの比に応じた前記カーソルの縦軸方向の変更量、及び、前記横軸スライダのスライド量と前記横軸スライダの最大スライド長さとの比に応じた前記カーソルの横軸方向の変更量を算出すると共に、前記カーソルの縦軸方向の変更量と前記カーソルの横軸方向の変更量とから前記カーソルの座標を生成する座標生成手段と、
前記座標生成手段が生成した前記カーソルの座標を前記情報機器に出力する座標出力手段と、を備えることを特徴とするディスプレイ装置。
【請求項３】
前記表示画面は、縦軸方向の長さが前記縦軸スライダの最大スライド長さと略等しく、横軸方向の長さが前記横軸スライダの最大スライド長さと略等しいことを特徴とする請求項２に記載のディスプレイ装置。
【請求項４】
前記駆動制御手段に切替え信号を送信する切替え手段をさらに備え、
前記駆動制御手段は、前記切替え信号に基づいて、前記縦軸スライダ用モータ及び前記横軸スライダ用モータを駆動制御すること、及び、前記縦軸スライダのスライド量及び前記横軸スライダのスライド量を算出することを切替え可能とすることを特徴とする請求項１から３のいずれか一項に記載のディスプレイ装置。
【発明の詳細な説明】
【技術分野】
【０００１】
本発明は、マン−マシンインターフェースを備えるディスプレイ装置に関する。
【背景技術】
【０００２】
従来から、コンピュータにおいて、１表示画面に表示した表示情報が表示画面やウィンドウより大きい場合がある。この場合、表示情報を縮小して表示情報全体をウィンドウ等に表示する、又は、表示情報のうち、ウィンドウ等に収まる領域を表示することで、利用者が表示情報の全内容を把握することができる。後者の例として、ウィンドウ等にスクロールバーを表示する技術がある（特許文献１参照）。ここで、このスクロールバーが表示されている場合、スクロールバーの延長方向にウィンドウ等に表示されていない領域が存在することを意味する。また、このスクロールバーが表示されていない場合、ウィンドウ等に表示情報全体が表示されていることを意味する。このように、利用者は、スクロールバーによって、ウィンドウ等に表示情報全体が表示されているか否かを知ることができる。さらに、利用者がカーソルをスクロールバーに重ねた後にドラッグする、マウス等に付随するトラックホイールを回転させる、又は、カーソルキーを押下する等の操作を行うことで、ウィンドウ等に表示されている領域を移動させ、利用者は、表示情報の全内容を把握することができる。
【０００３】
また、コンピュータにおいて、ウィンドウ等に表示されているアイコン、オブジェクト等を指し示す目的で、カーソルを表示することが一般的である。例えば、コンピュータにソフトウェアの実行を指令するため、利用者は、カーソルを当該ソフトウェアのアイコンに重ねるようにマウスを上下左右に動かし、カーソルがアイコンに重なった状態でマウスボタンをダブルクリックする等の操作を行う。
【特許文献１】特開平８−２５５０７０号公報
【発明の開示】
【発明が解決しようとする課題】
【０００４】
しかし、従来のテレビジョン放送、ビデオ又はＤＶＤで視聴する映像等の表示情報は、表示画面の大きさに合わせて制作されることが一般的であり、表示画面に表示されない表示情報が存在することを考慮していない。また、コンピュータにおいて、表示情報を縮小して表示情報全体を表示する技術では、その縮小率が高くなりすぎて表示情報の内容を把握することが困難な場合がある。また、コンピュータにおいて、スクロールバーを表示する技術では、このスクロールバーとウィンドウ等に表示されている表示情報を交互に見て、表示情報のどの部分が表示画面に表示されているか判断する必要があり、利用者が表示情報の内容を直感的に把握しにくい。さらに、コンピュータに慣れていない利用者にとって、スクロールバーを操作して表示画面に表示情報の所望の領域を表示させることが難しい問題もある。
【０００５】
また、コンピュータにおいて、カーソルを表示する技術では、カーソルが小さくて見づらく、カーソルの位置を把握しにくい場合がある。さらに、カーソルを表示する技術では、スクロールバーを表示する技術と同様に、コンピュータに慣れていない利用者にとってカーソルを所望の位置に動かすことが難しい問題もある。
【０００６】
本発明は、前記した問題を解決し、表示情報の内容を直感的に把握しやすいと共に表示画面に所望の表示領域を表示する操作が容易であり、又は、カーソルの位置を把握しやすいと共にカーソルの操作が行いやすいディスプレイ装置を提供することを目的とする。
【課題を解決するための手段】
【０００７】
前記した課題を解決するため、請求項１に係るディスプレイ装置は、表示手段と、縦軸スライダと、縦軸スライダ用モータと、横軸スライダ用モータと、制御手段と、を備えるディスプレイ装置であって、制御手段が、座標取得手段と、座標変換手段と、駆動制御手段と、座標生成手段と、表示制御手段と、を備える構成とした。
【０００８】
かかる構成によれば、ディスプレイ装置は、座標取得手段によって、表示領域の中央、右上端、右下端、左上端又は左下端等の任意位置に基準点を設定すると共に、座標変換手段によって、表示領域が移動する前後の座標の差から縦軸スライダの駆動量及び横軸スライダの駆動量を算出する。さらに、ディスプレイ装置は、駆動制御手段によって、縦軸スライダのスライド量に応じて縦軸スライダ用モータの回転量を算出して縦軸スライダ用モータを駆動制御すると共に、横軸スライダの駆動量に応じて横軸スライダ用モータの回転量を算出して横軸スライダ用モータを駆動制御する。これによって、ディスプレイ装置は、制御手段によって、移動後の表示領域の位置に応じて縦軸スライダ及び横軸スライダを駆動することができる。
【０００９】
また、かかる構成によれば、ディスプレイ装置は、駆動制御手段によって、縦軸スライダ及び横軸スライダのスライド量を算出する。ここで、基準点は表示領域の任意位置に設定されたものであるため、移動後の基準点が分かれば移動後の表示領域の位置も分かる。このため、ディスプレイ装置は、座標生成手段によって、縦軸スライダ及び横軸スライダのスライド量から基準点の縦軸方向及び横軸方向の移動量を算出する。さらに、ディスプレイ装置は、表示制御手段によって、基準点の縦軸方向及び横軸方向の移動量に基づいて、表示画面に表示されている表示領域を移動させる。これによって、ディスプレイ装置は、制御手段によって、縦軸スライダや横軸スライダのスライド量に応じて表示画面に表示されている表示領域を移動させることができる。
【００１０】
また、前記した課題を解決するため、請求項２に係るディスプレイ装置は、表示手段と、縦軸スライダと、縦軸スライダ用モータと、横軸スライダ用モータと、制御手段と、を備えるディスプレイ装置であって、制御手段が、座標取得手段と、座標変換手段と、駆動制御手段と、座標生成手段と、座標出力手段と、を備える構成とした。
【００１１】
かかる構成によれば、ディスプレイ装置は、座標取得手段によって、カーソルが移動する前後の座標を情報機器から取得する。情報機器では、カーソルの座標が記憶及び管理されているため、制御手段によってカーソルの座標を取得することが可能である。また、ディスプレイ装置は、座標変換手段によって、カーソルが移動する前後の座標の差から縦軸スライダの駆動量及び横軸スライダの駆動量を算出する。さらに、ディスプレイ装置は、駆動制御手段によって、縦軸スライダの駆動量に応じて縦軸スライダ用モータの回転量を算出して縦軸スライダ用モータを駆動制御すると共に、横軸スライダの駆動量に応じて横軸スライダ用モータの回転量を算出して横軸スライダ用モータを駆動制御する。これによって、ディスプレイ装置は、制御手段によって、移動後のカーソルの位置に応じて縦軸スライダ及び横軸スライダを駆動することができる。
【００１２】
また、かかる構成によれば、ディスプレイ装置は、駆動制御手段によって、縦軸スライダ及び横軸スライダのスライド量を出力する。また、ディスプレイ装置は、縦軸スライダ及びスライダのスライド量からカーソルの縦軸方向及び横軸方向の変更量を算出する。さらに、ディスプレイ装置は、座標生成手段によって、カーソルの縦軸方向及び横軸方向の変更量からカーソルの座標を生成し、座標出力手段によって、このカーソルの座標を情報機器に出力する。その後、情報機器は、このカーソルの座標に基づいてカーソルの位置を変更し、カーソルを含む表示情報をディスプレイ装置に出力する。なお、カーソルの座標は、縦軸スライダや横軸スライダがスライドする前後でのカーソルの相対座標としても良い。これによって、ディスプレイ装置は、制御手段によって、縦軸スライダや横軸スライダのスライド量に応じてカーソルを移動させることができる。
【００１３】
請求項３に係るディスプレイ装置は、請求項２に係るディスプレイ装置において、前記表示画面が、縦軸方向の長さが前記縦軸スライダの最大スライド長さと略等しく、横軸方向の長さが前記横軸スライダの最大スライド長さと略等しいことを特徴とする。
【００１４】
かかる構成によれば、ディスプレイ装置は、表示画面上において、カーソルの縦軸方向の位置と縦軸スライダの位置が略一致すると共に、カーソルの横軸方向の位置と横軸スライダの位置が略一致する。
【００１５】
請求項４に係るディスプレイ装置は、請求項１から３のいずれか一項に係るディスプレイ装置において、前記駆動制御手段に切替え信号を送信する切替え手段をさらに備え、前記駆動制御手段は、前記切替え信号に基づいて、前記縦軸スライダ用モータ及び前記横軸スライダ用モータを駆動制御すること、及び、前記縦軸スライダのスライド量及び前記横軸スライダのスライド量を算出することを切替え可能とすることを特徴とする。
【００１６】
かかる構成によれば、ディスプレイ装置は、切替え手段によって、駆動制御手段が縦軸スライダ用モータ及び横軸スライダ用モータを駆動制御すること、すなわち、表示領域やカーソルの位置に応じて縦軸スライダや横軸スライダを駆動制御すること（出力モード）、及び、駆動制御手段が縦軸スライダのスライド量及び横軸スライダのスライド量を算出すること、すなわち、縦軸スライダや横軸スライダのスライド量に応じて表示領域やカーソルを移動させること（入力モード）を切り替え可能とすることができる。
【発明の効果】
【００１７】
請求項１に係る発明によれば、縦軸スライダ及び横軸スライダの位置が表示情報のうち、表示画面に表示されている表示領域の位置を示すため、表示情報の内容を直感的に把握しやすくできる。また、請求項１に係る発明によれば、縦軸スライダ及び横軸スライダをスライドさせて表示領域を移動させることができるので、表示画面に所望の表示領域を表示する操作を容易にすることができる。
【００１８】
請求項２に係る発明によれば、縦軸スライダ及び横軸スライダの位置がカーソルの位置を示すため、カーソルが小さくて見づらい場合でもカーソルの位置を容易に把握することができる。また、請求項２に係る発明によれば、マウスを操作してカーソルを移動させる者と表示画面を見ている者が異なる場合（例えば、パソコン教室等）、カーソルの動きに縦軸スライダや横軸スライダが追随するため、表示画面を見ている者がカーソルの位置を容易に把握することができる。さらに、請求項２に係る発明によれば、縦軸スライダ及び横軸スライダをスライドさせてカーソルを移動させることができるので、カーソルを所望の位置に移動させる操作を容易にすることができる。
【００１９】
請求項３に係る発明によれば、カーソルの位置がより把握しやすいと共にカーソルの操作がより行いやすくなる。また、請求項４に係る発明によれば、ディスプレイ装置が出力モード又は入力モードのどちらで動作しているか利用者にとって判別しやすくなる。
【発明を実施するための最良の形態】
【００２０】
以下、本発明の実施形態について、適宜図面を参照しながら詳細に説明する。なお、各実施形態において、同一の機能を有する手段及び同一の部材には同一の符号を付し、説明を省略した。
（第１実施形態）
［ディスプレイ装置の構成］
図１を参照して、第１実施形態に係るディスプレイ装置の構成について説明する。図１は本発明の第１実施形態に係るディスプレイ装置を説明する図であり、（ａ）はディスプレイ装置の外観図であり、（ｂ）はディスプレイ装置が内蔵する縦軸スライダ機構の概略図であり、（ｃ）はディスプレイ装置が内蔵する横軸スライダ機構の概略図である。
【００２１】
図１（ａ）に示すように、ディスプレイ装置１は、表示画面１１と、筐体１２と、ボタン１３と、縦軸スライダ２１と、横軸スライダ３１と、図示しないディスプレイ装置の制御手段（以下、「制御手段」）を備える。また、ディスプレイ装置１は、縦軸スライダ２１と横軸スライダ３１の位置によって、表示画面１１に表示されている表示領域の位置を出力し、縦軸スライダ２１と横軸スライダ３１の位置に対応させて、表示画面１１に表示されている表示領域を移動させるものである。
【００２２】
表示画面１１（表示手段）は、表示情報を表示するものである。表示手段としては、ブラウン管のディスプレイ、液晶ディスプレイ、プラズマディスプレイ等の視覚ディスプレイがある。なお、第１実施形態では、表示情報を視覚で認識できる画像として説明するが、表示情報は、触覚で認識できるものであっても良い。この場合、表示手段は、触覚ディスプレイであっても良い。ここで、触覚ディスプレイとは、例えば、触覚ピンを凹凸させて画面に円や三角といった形状が浮かび上がるようにしたものがある。
【００２３】
筐体１２は、例えば、プラスチック製であり、縦軸スライダ機構２０、横軸スライダ機構３０及び制御手段を収納するものである。また、筐体１２には、縦軸スリット１２ａが、表示画面１１の縦軸方向と略平行に形成される。縦軸スリット１２ａの長さは、縦軸スライダ２１自体の幅を考慮して、所定の縦軸スライダ２１の最大スライド長さ以上とする。また、筐体１２には、横軸スリット１２ｂが、表示画面１１の横軸方向と略平行に形成される。横軸スリット１２ｂの長さは、横軸スライダ３１自体の幅を考慮して、所定の横軸スライダ３１の最大スライド長さ以上とする。
【００２４】
ボタン１３（切替え手段）は、図示しない駆動制御手段に接続され、表示領域やカーソルの位置に応じて縦軸スライダや横軸スライダを駆動すること（出力モード）と、縦軸スライダや横軸スライダのスライド量に応じて表示領域やカーソルを移動させること（入力モード）を切り替え可能とするものである。ボタン１３を押下する毎に切替え信号を駆動制御手段に送信し、駆動制御手段は、切替え信号を受信する毎に出力モードと入力モードを切り替えても良い。
【００２５】
図１（ｂ）に示すように、縦軸スライダ機構２０は、縦軸スライダ２１と、縦軸スライダ用モータ２２と、回転盤２３ａ，２３ｂと、ベルト２４を備える。ここで、縦軸スライダ２１は、所定の最大スライド長さの範囲内において表示画面１１の縦軸方向と略平行にスライド可能であり、縦軸方向において、表示画面１１に表示されている表示領域の位置を出力し、表示画面１１に表示されている表示領域を移動させるものである。縦軸スライダ２１は、上端部分が筐体１２に形成された縦軸スリット１２ａから突出し、中腹部から下腹部にかけて縦軸スリット１２ａの幅より広くなっている。このため、利用者が縦軸スライダ２１をスライドさせても、縦軸スライダ２１が縦軸スリット１２ａから飛び出すことはない。また、縦軸スライダ２１は、中腹部にベルト２４より少し小さい径の貫通穴が形成され、この貫通穴に通されたベルト２４の特定位置に固定される。一方、縦軸スライダ２１の下腹部には、ベルト２４より大きい径の貫通穴が形成され、この貫通穴にもベルト２４が通される。
【００２６】
縦軸スライダ用モータ２２は、例えば、ロータリーエンコーダ付きモータであり、制御手段から入力された回転量に基づいて、縦軸スライダ用モータ２２の回転軸を回転させて縦軸スライダ２１を駆動し、利用者が縦軸スライダ２１をスライドさせることによる縦軸スライダ用モータ２２の回転軸の回転量を駆動制御手段に出力するものである。また、縦軸スライダ用モータ２２の回転軸の先端には、回転盤２３ａが固定される。回転盤２３ａ，２３ｂは、縦軸スライダ２１が所定の縦軸スライダ２１の最大スライド長さスライドするように、互いに離して配置される。また、回転盤２３ａ，２３ｂは、円周部分に溝が形成され、この溝にベルト２４を引っ掛けることで、ベルト２４が回転盤２３ａ，２３ｂから脱落することを妨げる。
【００２７】
また、縦軸スライダ用モータ２２が回転軸を回転させることで、回転軸の先端に固定された回転盤２３ａが回転する。このとき、回転盤２３ａの回転によってベルト２４を介して縦軸スライダ２１が縦軸方向にスライドすることになる。また、利用者が縦軸スライダ２１をスライドさせた場合、縦軸スライダ２１が固定されるベルト２４がスライドする。このとき、ベルト２４のスライドによって回転盤２３ａが回転するので、回転盤２３ａが固定される縦軸スライダ用モータ２２の回転軸が回転することになる。なお、制御手段は、回転盤２３ａの円周から縦軸スライダ用モータ２２の回転量と縦軸スライダ２１のスライド量の関係を予め算出しても良い。
【００２８】
また、縦軸スライダ用モータ２２は、入力された回転量の符号（正負）に応じて、その回転軸の回転方向を変えても良い。例えば、駆動制御手段から正（＋）の回転量が入力された場合、縦軸スライダ用モータ２２は、縦軸スライダ２１を下側にスライドさせて良く、駆動制御手段から負（−）の回転量が入力された場合、縦軸スライダ２１を下側にスライドさせても良い。さらに、縦軸スライダ用モータ２２は、その回転軸の回転方向、すなわち、縦軸スライダ２１のスライド方向に応じて、出力する回転量の符号（正負）を変えても良い。利用者が縦軸スライダ２１を下側にスライドさせた場合、縦軸スライダ用モータ２２は、駆動制御手段に正（＋）の回転量を出力しても良く、利用者が縦軸スライダ２１を上側にスライドさせた場合、駆動制御手段に負（−）の回転量を出力しても良い。
【００２９】
図１（ｃ）に示すように、横軸スライダ機構３０は、横軸スライダ３１と、横軸スライダ用モータ３２と、回転盤３３ａ，３３ｂと、ベルト３４を備える。横軸スライダ機構３０の構造は、図１（ｂ）の縦軸スライダ機構２０と略同様であるため、説明を省略する。
【００３０】
横軸スライダ３１は、所定の最大スライド長さの範囲内において表示画面１１の横軸方向と略平行にスライド可能であり、横軸方向において、表示画面１１に表示されている表示領域の位置を出力し、表示画面１１に表示されている表示領域を移動させるものである。
【００３１】
また、横軸スライダ用モータ３２は、例えば、ロータリーエンコーダ付きモータであり、制御手段から入力された回転量に基づいて、横軸スライダ用モータ３２の回転軸を回転させて横軸スライダ３１を駆動し、利用者が縦軸スライダ２１をスライドさせることによる横軸スライダ用モータ３２の回転軸の回転量を駆動制御手段に出力するものである。また、縦軸スライダ用モータ２２と同様に、横軸スライダ用モータ３２は、入力された回転量の符号（正負）に応じて、その回転軸の回転方向を変えても良い。さらに、縦軸スライダ用モータ２２と同様に、横軸スライダ用モータ３２は、その回転軸の回転方向、すなわち、横軸スライダ３１のスライド方向に応じて、出力する回転量の符号（正負）を変えても良い。
【００３２】
［ディスプレイ装置の制御手段の構成］
図２を参照して、第１実施形態に係るディスプレイ装置の制御手段の構成について説明する（ディスプレイ装置の構成については適宜図１参照）。図２は、図１のディスプレイ装置が内蔵する制御手段のブロック図である。ディスプレイ装置の制御手段（制御手段）４０は、例えば、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＨＤＤ（Ｈａｒｄ  Ｄｉｓｋ  Ｄｒｉｖｅ）及び入出力インターフェースから構成される。また、制御手段４０は、後記する各種機能を実現するために、スライダ移動量計算手段５０と、スライダ駆動制御手段６０と、表示領域座標生成手段７０と、ディスプレイ表示制御手段８０を備える。
【００３３】
スライダ移動量計算手段５０は、座標取得手段５１と、座標変換手段５２と、信号送信手段５３を備える。座標取得手段５１は、表示領域の任意位置に基準点を設定し、表示画面１１に表示されている表示領域が移動した場合、表示領域が移動する前の基準点の座標と表示領域が移動した後の基準点の座標とを取得するものである。また、座標取得手段５１は、表示領域が移動する前の基準点の座標と表示領域が移動した後の基準点の座標とを座標変換手段５２に出力する。なお、基準点とは、表示領域の位置を算出する際の基準となる点であり、例えば、表示領域の左上端に設定される。
【００３４】
座標変換手段５２は、表示領域が移動する前の基準点の座標と表示領域が移動した後の基準点の座標との差から、表示領域の縦軸方向の移動量と表示領域の横軸方向の移動量とを算出し、表示領域の縦軸方向の移動量と表示情報の縦軸方向の長さとの比に応じて縦軸スライダ２１の駆動量を算出し、表示領域の横軸方向の移動量と表示情報の横軸方向の長さとの比に応じて横軸スライダ３１の駆動量を算出するものである。また、座標変換手段５２は、縦軸スライダ２１の駆動量と横軸スライダ３１の駆動量を信号送信手段５３に出力する。なお、座標変換手段５２の演算の詳細は、後記する（図３参照）。
【００３５】
信号送信手段５３は、縦軸スライダ２１の駆動量と横軸スライダ３１の駆動量を信号受信手段６１が読み取り可能な形式、例えば、１６ｂｉｔ２進数シリアル信号形式でエンコードして、信号受信手段６１に出力するものである。また、スライダ駆動制御手段６０は、信号受信手段６１と、駆動制御手段６２を備える。さらに、信号受信手段６１は、信号送信手段５３から入力された縦軸スライダ２１の駆動量と横軸スライダ３１の駆動量をデコードし、駆動制御手段６２に出力するものである。
【００３６】
駆動制御手段６２は、縦軸スライダ２１の駆動量に応じて縦軸スライダ用モータ２２の回転量を算出して縦軸スライダ用モータ２２を駆動制御し、横軸スライダ３１の駆動量に応じて横軸スライダ用モータ３２の回転量を算出して横軸スライダ用モータ３２を駆動制御するものである。以上のように、ディスプレイ装置１は、座標取得手段５１、座標変換手段５２、信号送信手段５３、信号受信手段６１及び駆動制御手段６２によって、出力モードとして機能を実現する。
【００３７】
また、縦軸スライダ２１及び横軸スライダ３１が利用者によってスライドされた場合、縦軸スライダ用モータ２２及び横軸スライダ用モータ３２は、その回転軸の回転量を駆動制御手段６２に出力する。この場合、駆動制御手段６２は、縦軸スライダ用モータ２２が出力する回転量に応じて縦軸スライダ２１のスライド量を算出し、横軸スライダ用モータ３２が出力する回転量に応じて横軸スライダ３１のスライド量を算出する。さらに、駆動制御手段６２は、算出した縦軸スライダ２１のスライド量と横軸スライダ３１のスライド量を座標生成手段７１に出力する。
【００３８】
表示領域座標生成手段７０は、座標生成手段７１と、座標送信手段７２を備える。座標生成手段７１は、駆動制御手段６２が出力した縦軸スライダ２１のスライド量と縦軸スライダ２１の最大スライド長さとの比に応じて基準点の縦軸方向の移動量を算出し、駆動制御手段６２が出力した横軸スライダ３１のスライド量と横軸スライダ３１の最大スライド長さとの比に応じて基準点の横軸方向の移動量を算出し、基準点の横軸方向の移動量と基準点の横軸方向の移動量とから基準点の座標を生成するものである。また、座標生成手段７１は、生成した基準点の座標を座標送信手段７２に出力する。なお、座標生成手段７１は、縦軸スライダ２１と横軸スライダ３１をスライドさせる前後の基準点の座標の変化を示す相対座標を生成しても良い。さらに、座標送信手段７２は、基準点の座標を座標受信手段８１が読み取り可能な形式、例えば、１６ｂｉｔ２進数シリアル信号形式でエンコードして、座標受信手段８１に出力するものである。なお、座標生成手段７１の演算の詳細は、後記する（図３参照）。
【００３９】
ディスプレイ表示制御手段８０は、座標受信手段８１と、表示制御手段８２を備える。また、座標受信手段８１は、座標送信手段７２から入力された基準点の座標をデコードし、表示制御手段８２に出力するものである。さらに、表示制御手段８２は、座標生成手段７１が生成した基準点の座標から移動後の表示領域の位置を算出すると共に、移動後の表示領域を表示画面１１に表示させるものである。例えば、表示制御手段８２が基準点の座標を表示手段１０に出力し、表示手段１０は、基準点の座標から移動後の表示領域を逆算して表示画面１１を再表示する。以上のように、ディスプレイ装置１は、駆動制御手段６２、座標生成手段７１、座標送信手段７２、座標受信手段８１及び表示制御手段８２によって、入力モードとして機能を実現する。
【００４０】
図３を参照して、座標変換手段の演算と座標生成手段の演算について説明する。図３は、本発明の第１実施形態に係るディスプレイ装置の座標変換手段の演算と座標生成手段の演算を説明する概念図である。図３では、表示情報Ｉの縦軸方向の長さを符号ＬＧ、表示情報Ｉの横軸方向の長さを符号ＷＧ、基準点の縦軸方向の移動量を符号Ｌ１、基準点の横軸方向の移動量を符号Ｗ１、表示領域Ｈの縦軸方向の長さを符号Ｌ２、及び、表示領域Ｈの横軸方向の長さを符号Ｗ２で示した。また、図３では、縦軸スライダ２１の最大スライド長さを符号ａ、縦軸スライダ２１の駆動量（スライド量）を符号ａ１、横軸スライダ３１の最大スライド長さを符号ｂ、及び、横軸スライダ３１の駆動量（スライド量）を符号ｂ１で示した。さらに、図３では、移動前の縦軸スライダ２１及び横軸スライダ３１を破線で示した。
【００４１】
図３に示すように、表示情報Ｉは、その左上部分に円が描かれ、その右上部分に横軸方向に平行な４本の線が描かれ、その右下部分に三角形が描かれ、その左下部分に縦軸方向に平行な４本の線が描かれた画像である。
【００４２】
まず、座標変換手段５２の演算について、表示領域Ｈが表示情報Ｉの左上部から中央部に移動した場合を例に説明する。座標変換手段５２は、上記の基準点の縦軸方向の移動量Ｌ１と式（１）を用いて縦軸スライダ２１の駆動量ａ１を算出することができ、上記の基準点の横軸方向の移動量Ｗ１と式（２）を用いて横軸スライダ３１の駆動量ｂ１を算出することができる。なお、式（１）では、基準点の縦軸方向の移動可能範囲を考慮して表示情報Ｉの縦軸方向の長さＬＧから表示領域Ｈの縦軸方向の長さＬ２を減算し、式（２）では、基準点の横軸方向の移動可能範囲を考慮して表示情報Ｉの横軸方向の長さＷＧから表示領域Ｈの縦軸方向の長さ符号Ｗ２を減算した。
式（１）ａ１＝Ｌ１／（ＬＧ−Ｌ２）×ａ
式（２）ｂ１＝Ｗ１／（ＷＧ−Ｗ２）×ｂ
【００４３】
次に、座標生成手段７１の演算について、縦軸スライダ２１が上端部から中央にスライドされ、横軸スライダが左端から中央にスライドされた場合を例に説明する。座標生成手段７１は、上記の縦軸スライダ２１のスライド量ａ１と式（３）を用いて基準点の縦軸方向の移動量Ｌ１を算出することができ、上記の横軸スライダ３１のスライド量ｂ１と式（４）を用いて基準点の横軸方向の移動量Ｗ１を算出することができる。なお、式（３）では、基準点の縦軸方向の移動可能範囲を考慮して表示情報Ｉの縦軸方向の長さＬＧから表示領域Ｈの縦軸方向の長さＬ２を減算し、式（４）では、基準点の横軸方向の移動可能範囲を考慮して表示情報Ｉの横軸方向の長さＷＧから表示領域Ｈの縦軸方向の長さ符号Ｗ２を減算した。
式（３）Ｌ１＝ａ１／ａ×（ＬＧ−Ｌ２）
式（４）Ｗ１＝ｂ１／ｂ×（ＷＧ−Ｗ２）
【００４４】
図４を参照して、縦軸スライダ及び横軸スライダと表示領域の関係を説明する。図４は本発明の第１実施形態における縦軸スライダ及び横軸スライダと表示領域の関係を説明する図であり、（ａ）は情報の左上部分を表示領域とする場合の説明図であり、（ｂ）は情報の右上部分を表示領域とする場合の説明図であり、（ｃ）は情報の右下部分を表示領域とする場合の説明図であり、（ｄ）は情報の左下部分を表示領域とする場合の説明図であり、（ｅ）は情報の中央部分を表示領域とする場合の説明図である。また、図４（ａ）〜（ｅ）では、上段に表示情報全体を示し、下段にディスプレイ装置１を示した。なお、図４には、表示情報のうち、表示画面１１に表示されている表示領域を破線で示した。
【００４５】
図４（ａ）に示すように、縦軸スライダ２１が上端に位置しているので、表示領域Ｈが表示情報Ｉの縦軸方向の上部に位置し、横軸スライダ３１が左端に位置しているので、表示領域Ｈが表示情報Ｉの横軸方向の左部に位置する。すなわち、表示情報Ｉの左上部分が表示領域Ｈとなる。この場合、表示画面１１には、表示情報Ｉの左上部分の画像（円）が表示される。また、図４（ａ）と同様に、図４（ｂ）では、縦軸スライダ２１が上端及び横軸スライダ３１が右端に位置しているので、表示情報Ｉの右上部分が表示領域Ｈとなる。この場合、表示画面１１には、表示情報Ｉの右上部分の画像（横軸方向に平行な４本の線）が表示される。また、図４（ｃ）では、縦軸スライダ２１が下端及び横軸スライダ３１が右端に位置しているので、表示情報Ｉの右下部分が表示領域Ｈとなる。この場合、表示画面１１には、表示情報Ｉの右下部分の画像（三角形）が表示される。また、図４（ｄ）では、縦軸スライダ２１が下端及び横軸スライダ３１が左端に位置しているので、表示情報Ｉの左下部分が表示領域Ｈとなる。この場合、表示画面１１には、表示情報Ｉの左下部分の画像（縦軸方向に平行な４本の線）が表示される。さらに、図４（ｅ）では、縦軸スライダ２１及び横軸スライダ３１の両方が中央に位置しているので、表示情報Ｉの中央部分が表示領域Ｈとなる。この場合、表示画面１１には、表示情報Ｉの各部分の画像が、一部ずつ表示される。上記前提のもと、利用者は、縦軸スライダ２１と横軸スライダ３１の位置から、表示情報Ｉのうち、表示画面１１にどの部分（表示領域Ｈ）が表示されているか直感的に把握することができる（入力モード）。また、利用者は、縦軸スライダ２１と横軸スライダ３１をスライドさせて、表示情報Ｉの任意の部分（表示領域Ｈ）を表示画面１１に表示させることができる（出力モード）。
【００４６】
（第２実施形態）
［ディスプレイ装置の構成］
図５を参照して、第２実施形態に係るディスプレイ装置の構成について説明する。図５は本発明の第２実施形態に係るディスプレイ装置を説明する図であり、（ａ）はディスプレイ装置の外観図であり、（ｂ）はディスプレイ装置が内蔵する縦軸スライダ機構の概略図であり、（ｃ）はディスプレイ装置が内蔵する横軸スライダ機構の概略図である。
【００４７】
ディスプレイ装置１Ｂは、表示画面１１と、筐体１２と、ボタン１３と、縦軸スライダ２１と、横軸スライダ３１と、制御手段を備える。また、ディスプレイ装置１Ｂは、縦軸スライダ２１と横軸スライダ３１の位置によって、表示画面１１に表示されているカーソルの位置を出力する出力モードと、縦軸スライダ２１と横軸スライダ３１の位置に対応させて、表示画面１１に表示されているカーソルを移動させる入力モードを有するものである。さらに、ディスプレイ装置１Ｂは、図示しない情報機器、例えば、コンピュータに接続され、カーソルを含む情報がこのコンピュータから入力される。
【００４８】
［ディスプレイ装置の制御手段の構成］
図６を参照して、第２実施形態に係るディスプレイ装置の制御手段の構成について説明する（ディスプレイ装置の構成については適宜図５参照）。図６は、図５のディスプレイ装置が内蔵する制御手段のブロック図である。制御手段４０Ｂは、後記する各種機能を実現するために、スライダ移動量計算手段５０Ｂと、スライダ駆動制御手段６０と、カーソル座標生成手段７５と、カーソル制御手段８５を備える。なお、表示手段（表示画面１１）は、カーソルを含む表示情報が情報機器から入力され、表示情報を表示画面１１に表示するものである。
【００４９】
スライダ移動量計算手段５０は、座標取得手段５１Ｂと、座標変換手段５２Ｂと、信号送信手段５３を備える。コンピュータＡでは、カーソルの座標が記憶及び管理されている。このため、座標取得手段５１Ｂは、カーソルが移動した場合、カーソルが移動する前の座標とカーソルが移動した後の座標とをコンピュータＡから取得することができる。また、座標取得手段５１Ｂは、これらカーソルの座標を座標変換手段５２Ｂに出力する。
【００５０】
座標変換手段５２Ｂは、カーソルが移動する前の座標とカーソルが移動した後の座標との差からカーソルの縦軸方向の移動量とカーソルの横軸方向の移動量とを算出し、カーソルの縦軸方向の移動量と情報の縦軸方向の長さとの比に応じた縦軸スライダ２１の駆動量を算出し、カーソルの横軸方向の移動量と表示情報の横軸方向の長さとの比に応じた横軸スライダ３１の駆動量を算出するものである。また、座標変換手段５２Ｂは、縦軸スライダ２１の駆動量と横軸スライダ３１の駆動量を信号送信手段５３に出力する。以上のように、ディスプレイ装置１Ｂは、座標取得手段５１Ｂ、座標変換手段５２Ｂ、信号送信手段５３、信号受信手段６１及び駆動制御手段６２によって、出力モードとして機能を実現する。なお、座標変換手段５２Ｂの演算の詳細は、後記する（図７参照）。
【００５１】
カーソル座標生成手段７５は、座標生成手段７１Ｂと、座標送信手段７２を備える。座標生成手段７１Ｂは、駆動制御手段６２が出力した縦軸スライダ２１のスライド量と縦軸スライダ２１の最大スライド長さとの比に応じたカーソルの縦軸方向の変更量を算出し、駆動制御手段６２が出力した横軸スライダ３１のスライド量と横軸スライダ３１の最大スライド長さとの比に応じたカーソルの横軸方向の変更量を算出し、カーソルの縦軸方向の変更量とカーソルの横軸方向の変更量とからカーソルの座標を生成するものである。また、座標生成手段７１Ｂは、生成したカーソルの座標を座標送信手段７２に出力する。なお、座標生成手段７１Ｂの演算の詳細は、後記する（図７参照）。
【００５２】
カーソル制御手段８５は、座標受信手段８１と、座標出力手段８６を備える。また、座標出力手段８６は、座標生成手段７１Ｂが生成したカーソルの座標をコンピュータＡに出力するものである。そして、コンピュータＡは、このカーソルの座標に基づいてカーソルの位置を変更し、カーソルを含む表示情報をディスプレイ装置１Ｂに出力する。以上のように、ディスプレイ装置１Ｂは、駆動制御手段６２、座標生成手段７１Ｂと、座標送信手段７２、座標受信手段８１及び座標出力手段８６によって、入力モードとして機能を実現する。
【００５３】
図７を参照して、座標変換手段の演算と座標生成手段の演算について説明する。図７は、本発明の第２実施形態に係るディスプレイ装置の座標変換手段の演算と座標生成手段の演算を説明する概念図である。図７では、表示情報Ｉの縦軸方向の長さを符号ＬＧ、表示情報Ｉの横軸方向の長さを符号ＷＧ、カーソルＣの縦軸方向の移動量（変更量）を符号Ｌ１及びカーソルＣの横軸方向の移動量（変更量）を符号Ｗ１で示した。また、図７では、縦軸スライダ２１の最大スライド長さを符号ａ、及び、縦軸スライダ２１の駆動量（スライド量）を符号ａ１、横軸スライダ３１の最大スライド長さを符号ｂ、及び、横軸スライダ３１の駆動量（スライド量）を符号ｂ１で示した。さらに、図１０では、移動前のカーソル、縦軸スライダ２１及び横軸スライダ３１を破線で示した。
【００５４】
まず、座標変換手段５２Ｂの演算について、カーソルＣが左上部から中央部に移動した場合を例に説明する。座標変換手段５２Ｂは、上記のカーソルＣの縦軸方向の移動量Ｌ１と式（５）を用いて縦軸スライダ２１の駆動量ａ１を算出することができ、上記のカーソルＣの横軸方向の移動量Ｗ１と式（６）を用いて横軸スライダ３１の駆動量ｂ１を算出することができる。
式（５）ａ１＝Ｌ１／ＬＧ×ａ
式（６）ｂ１＝Ｗ１／ＷＧ×ｂ
【００５５】
次に、座標生成手段７１Ｂの演算について、縦軸スライダ２１が上部から中央にスライドされ、横軸スライダが左部から中央にスライドされた場合を例に説明する。座標生成手段７１Ｂは、上記の縦軸スライダ２１のスライド量ａ１と式（７）を用いてカーソルＣの縦軸方向の変更量Ｌ１を算出することができ、上記の横軸スライダ３１のスライド量ｂ１と式（８）を用いてカーソルＣの横軸方向の変更量Ｗ１を算出することができる。
式（７）Ｌ１＝ａ１／ａ×ＬＧ
式（８）Ｗ１＝ｂ１／ｂ×ＷＧ
【００５６】
図８を参照して、縦軸スライダ及び横軸スライダとカーソルの関係を説明する。図８は本発明の第２実施形態における縦軸スライダ及び横軸スライダとカーソルの関係を説明する図であり、（ａ）はエディタの実行画面が表示されている場合の説明図であり、（ｂ）はデスクトップが表示されている場合の説明図であり、（ｃ）は画像編集ソフトの実行画面が表示されている場合の説明図であり、（ｄ）はメニュー画面が表示されている場合の説明図である。なお、第２実施形態では、表示情報と表示画面１１の大きさは略等しいものとする。
【００５７】
図８（ａ）では、エディタで編集しているテキストの最後尾に位置する長方形のカーソルＣと縦軸スライダ２１の縦軸方向の位置が略一致し、このカーソルＣと横軸スライダ３１の横軸方向の位置が略一致する。また、図８（ｂ）では、デスクトップの左上部分に表示された矢印形状のカーソルＣと縦軸スライダ２１の縦軸方向の位置が略一致し、このカーソルＣと横軸スライダ３１の横軸方向の位置が略一致する。また、図８（ｃ）では、画像編集ソフトの実行画面の中央部分に表示された筆形状のカーソルＣと縦軸スライダ２１の縦軸方向の位置が略一致し、このカーソルＣと横軸スライダ３１の横軸方向の位置が略一致する。さらに、図８（ｄ）では、メニュー画面内の左中央のメニューに重なったカーソルＣと縦軸スライダ２１の縦軸方向の位置が略一致し、このカーソルＣと横軸スライダ３１の横軸方向の位置が略一致する。上記前提のもと、利用者は、縦軸スライダ２１と横軸スライダ３１の位置から、表示画面１１に表示されているカーソルＣの位置を把握することができ（出力モード）、利用者は、縦軸スライダ２１と横軸スライダ３１をスライドさせて、カーソルＣを表示画面１１で移動させることができる（入力モード）。
【００５８】
ここで、ディスプレイ装置１Ｂは、表示画面１１の縦軸方向の長さと縦軸スライダ２１の最大スライド長さを略等しくし、表示画面１１の横軸方向の長さと横軸スライダの最大スライド長さを略等しくしても良い。これによって、ディスプレイ装置１Ｂは、利用者が、より直感的にカーソルＣの位置を把握し、表示画面１１の所望の位置にカーソルＣを移動させやすくなる。
【図面の簡単な説明】
【００５９】
【図１】本発明の第１実施形態に係るディスプレイ装置を説明する図であり、（ａ）はディスプレイ装置の外観図であり、（ｂ）はディスプレイ装置が内蔵する縦軸スライダ機構の概略図であり、（ｃ）はディスプレイ装置が内蔵する横軸スライダ機構の概略図である。
【図２】図１のディスプレイ装置が内蔵する制御手段のブロック図である。
【図３】本発明の第１実施形態に係るディスプレイ装置の座標変換手段の演算と座標生成手段の演算を説明する概念図である。
【図４】本発明の第１実施形態における縦軸スライダ及び横軸スライダと表示領域の関係を説明する図であり、（ａ）は情報の左上部分を表示領域とする場合の説明図であり、（ｂ）は情報の右上部分を表示領域とする場合の説明図であり、（ｃ）は情報の右下部分を表示領域とする場合の説明図であり、（ｄ）は情報の左下部分を表示領域とする場合の説明図であり、（ｅ）は情報の中央部分を表示領域とする場合の説明図である。
【図５】本発明の第２実施形態に係るディスプレイ装置を説明する図であり、（ａ）はディスプレイ装置の外観図であり、（ｂ）はディスプレイ装置が内蔵する縦軸スライダ機構の概略図であり、（ｃ）はディスプレイ装置が内蔵する横軸スライダ機構の概略図である。
【図６】図５のディスプレイ装置が内蔵する制御手段のブロック図である。
【図７】本発明の第２実施形態に係るディスプレイ装置の座標変換手段の演算と座標生成手段の演算を説明する概念図である。
【図８】本発明の第２実施形態における縦軸スライダ及び横軸スライダとカーソルの関係を説明する図であり、（ａ）はエディタの実行画面が表示されている場合の説明図であり、（ｂ）はデスクトップが表示されている場合の説明図であり、（ｃ）は画像編集ソフトの実行画面が表示されている場合の説明図であり、（ｄ）はメニュー画面が表示されている場合の説明図である。
【符号の説明】
【００６０】
１，１Ｂ      ディスプレイ装置
１０          表示手段
１１          画面
２１          縦軸スライダ
２２          縦軸スライダ用モータ
３１          横軸スライダ
３２          横軸スライダ用モータ
４０，４０Ｂ  制御手段
５１，５１Ｂ  座標取得手段
５２，５２Ｂ  座標変換手段
６２          駆動制御手段
７１，７１Ｂ  座標生成手段
７２          座標送信手段
８２          表示制御手段
８６          座標出力手段
【図１】
2009086707.tif 000003
【図２】
2009086707.tif 000004
【図３】
2009086707.tif 000005
【図４】
2009086707.tif 000006
【図５】
2009086707.tif 000007
【図６】
2009086707.tif 000008
【図７】
2009086707.tif 000009
【図８】
2009086707.tif 000010